(57)【要約】【課題】リラクゼーションスペース、子供の遊具、家具、テント等に利用できると共に、宇宙環境のような微小重力環境においても利用できる多用途の空間形成体である空気袋を用いた空間形成体を提供する。【解決手段】五角形に形成される空気出入自在の内部空気袋２と、内部空気袋２の全外周部に延設される五角形の空気出入自在の外部空気袋３と、外部空気袋３の全外周部に延設される所定幅を有するシート状の接合部４とから成る１２個の五角形ユニット５，５…と、六角形に形成される空気出入自在の内部空気袋６と、内部空気袋６の全外周部に延設される六角形の空気出入自在の外部空気袋７と、外部空気袋７の全外周部に延設される所定幅を有するシート状の接合部８とから成る２０個の六角形ユニット９，９…とを備えた空気袋を用いた空間形成体１を提供する。【選択図】図１
0003132855.tif 000002
【実用新案登録請求の範囲】
【請求項１】
五角形に形成される空気出入自在の内部空気袋と、前記内部空気袋の全外周部に延設される五角形の空気出入自在の外部空気袋と、前記外部空気袋の全外周部に延設される所定幅を有するシート状の接合部とから成る１２個の五角形ユニットと、
六角形に形成される空気出入自在の内部空気袋と、前記内部空気袋の全外周部に延設される六角形の空気出入自在の外部空気袋と、前記外部空気袋の全外周部に延設される所定幅を有するシート状の接合部とから成る２０個の六角形ユニットとを備え、
前記五角形ユニット及び前記六角形ユニットの内部空気袋と外部空気袋とに空気を注入し、
前記五角形ユニットの接合部と前記六角形ユニットの接合部とを接合することにより、前記１２個の五角形ユニットと前記２０個の六角形ユニットを組み合わせ、全体として略球形の空間形成体を形成自在に構成されたことを特徴とする空気袋を用いた空間形成体。
【請求項２】
前記五角形ユニットの接合部と前記六角形ユニットの接合部とは、ネジ止めにより取外し自在に接合されることを特徴とする請求項１記載の空気袋を用いた空間形成体。
【請求項３】
前記五角形ユニットと前記六角形ユニットとは、ポリウレタン樹脂、又は、塩化ビニールで形成されることを特徴とする請求項１又は２記載の空気袋を用いた空間形成体。
【請求項４】
前記空間形成体内に、空気袋からなる球体、及び／又は、空気袋からなる円柱体を備品として備えることを特徴とする請求項１乃至３のうちいずれか一に記載の空気袋を用いた空間形成体。
【考案の詳細な説明】
【技術分野】
【０００１】
本考案は、各ユニットを接合して全体として略球形の空間形成体を形成することができる空気袋を用いた空間形成体に関する。
【背景技術】
【０００２】
近年、リラクゼーションスペースとして、或いは、睡眠をとるために用いられるカプセル型空間形成体が知られている。
又、子供の遊具として、種々の形状の空間形成体が知られている。
更に、テント等の空間形成体も種々知られている。
先行文献として、例えば、特許文献１にも空間形成体としての二重空気膜構造エアテントが記載されている。
【０００３】
特許文献１は、床面チューブから天井チューブまで複数本の環状のチューブを積み重ねてなり、チューブ内に送気して各チューブを膨張せしめたとき、複数本の環状チューブの内側に空間が形成され、隣接する２本のチューブの上段のチューブの環の大きさが下段のチューブの環の大きさとほぼ同一であるか又はより小さい二重空気膜構造エアテントである。
【特許文献１】特開平１１−３６６６７号公報
【考案の開示】
【考案が解決しようとする課題】
【０００４】
しかしながら、リラクゼーションスペースや、子供の遊具として利用でき、更には、家具やテントとしても利用できる多用途の空間形成体は、まだ知られていない。
多用途の空間形成体は、例えば、宇宙環境のような微小重力環境において利用できれば、その用途は更に拡大する。
【０００５】
以上の現状に鑑み、本考案は、リラクゼーションスペース、子供の遊具、家具、テント等に利用できると共に、宇宙環境のような微小重力環境においても利用できる多用途の空間形成体である空気袋を用いた空間形成体を提供することを目的とする。
【課題を解決するための手段】
【０００６】
上記の課題を解決すべく、本考案は以下の構成を提供する。
請求項１に係る考案は、五角形に形成される空気出入自在の内部空気袋と、前記内部空気袋の全外周部に延設される五角形の空気出入自在の外部空気袋と、前記外部空気袋の全外周部に延設される所定幅を有するシート状の接合部とから成る１２個の五角形ユニットと、
六角形に形成される空気出入自在の内部空気袋と、前記内部空気袋の全外周部に延設される六角形の空気出入自在の外部空気袋と、前記外部空気袋の全外周部に延設される所定幅を有するシート状の接合部とから成る２０個の六角形ユニットとを備え、
前記五角形ユニット及び前記六角形ユニットの内部空気袋と外部空気袋とに空気を注入し、
前記五角形ユニットの接合部と前記六角形ユニットの接合部とを接合することにより、前記１２個の五角形ユニットと前記２０個の六角形ユニットを組み合わせ、全体として略球形の空間形成体を形成自在に構成されたことを特徴とする空気袋を用いた空間形成体を提供するものである。
【０００７】
請求項２に係る考案は、前記五角形ユニットの接合部と前記六角形ユニットの接合部とは、ネジ止めにより取外し自在に接合されることを特徴とする請求項１記載の空気袋を用いた空間形成体を提供するものである。
【０００８】
請求項３に係る考案は、前記五角形ユニットと前記六角形ユニットとは、ポリウレタン樹脂、又は、塩化ビニールで形成されることを特徴とする請求項１又は２記載の空気袋を用いた空間形成体を提供するものである。
【０００９】
請求項４に係る考案は、前記空間形成体内に、空気袋からなる球体、及び／又は、空気袋からなる円柱体を備品として備えることを特徴とする請求項１乃至３のうちいずれか一に記載の空気袋を用いた空間形成体を提供するものである。
【考案の効果】
【００１０】
本考案の請求項１記載の考案によれば、リラクゼーションスペース、睡眠スペース、子供の遊具、家具（球形家具）、物品収納体、テント等に利用できると共に、宇宙環境のような微小重力環境における居住スペース、リラクゼーションスペース、睡眠スペース、家具（球形家具）、物品収納体等としても利用できる多用途の空間形成体である空気袋を用いた空間形成体を提供することができる。
【００１１】
請求項２記載の考案によれば、請求項１記載の考案の効果に加え、組み立て、分解が容易である。
【００１２】
請求項３記載の考案によれば、請求項１又は２記載の考案の効果に加え、柔軟性、耐水性、耐久性のある空間形成体を提供することができる。
【００１３】
請求項４記載の考案によれば、請求項１乃至３のうちいずれか一に記載の考案の効果に加え、球体又は円柱体によって、リラクゼーション効果を得ることができる。
又、円柱体は、尻や腰や背中に当てると椅子や座布団、又は、背もたれの代わりになる。更に、両端を空間形成体内壁に当接させれば、所定位置で保持されるため、人が、体を当接させて、或いは、掴んで、自分の体を安定した姿勢に保持することができる。
球体を胸に当てて両手で抱くとリラクゼーション効果が期待できる。球体は、その他、遊具としても利用できる。
【考案を実施するための最良の形態】
【００１４】
以下、実施例を示した図面を参照しつつ本考案の実施の形態を説明する。
図１に於いて、１は、本考案による空気袋を用いた空間形成体を示し、空間形成体１は、五角形に形成される空気出入自在の内部空気袋２と、内部空気袋２の全外周部に延設される五角形の空気出入自在の外部空気袋３と、外部空気袋３の全外周部に延設される所定幅を有するシート状の接合部４とから成る１２個の五角形ユニット５，５…と、六角形に形成される空気出入自在の内部空気袋６と、内部空気袋６の全外周部に延設される六角形の空気出入自在の外部空気袋７と、外部空気袋７の全外周部に延設される所定幅を有するシート状の接合部８とから成る２０個の六角形ユニット９，９…とを備えている。
【００１５】
図２（ａ）は、空気を注入前の状態の五角形ユニット５を示し、五角形の内部空気袋２の中央部に空気出入孔１１が形成され、空気出入孔１１を開閉自在の栓１２が設けられている。
同様に五角形の外部空気袋３の適宜箇所に空気出入孔１３が形成され、空気出入孔１３を開閉自在の栓１４が設けられている。
外部空気袋３の全外周部に延設される接合部４には、複数の接合孔１５，１５…が開穿されている。
【００１６】
図２（ｂ）は接合孔１５を貫通させて、五角形ユニット５及び六角形ユニット９の接合部４，８をネジ止めにて接合する樹脂製のボルト１６とナット１７の拡大図である。
【００１７】
又、図１に示すように、六角形ユニット９は六角形の内部空気袋６の中央部に空気出入孔１１が形成され、空気出入孔１１を開閉自在の栓１２が設けられている。
同様に六角形の外部空気袋７の適宜箇所に空気出入孔１３が形成され、空気出入孔１３を開閉自在の栓１４が設けられている。
外部空気袋７の全外周部に延設される接合部８には、図３に示す複数の接合孔１５，１５…が開穿されている。
【００１８】
そして、五角形ユニット５の１辺の長さと六角形ユニット９の１辺の長さとは略同寸法となるように形成され、接合する五角形ユニット５の接合部４の接合孔１５，１５…と、六角形ユニット９の接合部８の接合孔１５，１５…とが夫々対応して位置合わせできるように形成されている。
【００１９】
而して、五角形ユニット５及び六角形ユニット９の内部空気袋２、６と外部空気袋３、７とに空気を注入し、五角形ユニット５の接合部４と六角形ユニット９の接合部８とをボルト１６とナット１７によって接合することにより、１２個の五角形ユニット５，５…と２０個の六角形ユニット９，９…を組み合わせ、全体として略球形の空間形成体１を組み立てる。尚、組み立て方法としては、五角形ユニット５の各５辺に異なる六角形ユニット９，９…の各辺を夫々接合させるように順次組み立てれば、略球形の空間形成体１が完成する。
【００２０】
図３は、空間形成体１内に人が入ってリラクゼーション効果を受けているところを示す。
人は、五角形ユニット５又は六角形ユニット９の１個又は複数個を外して空間形成体１内に入り、外した五角形ユニット５又は六角形ユニット９の全部又は一部を取付けて、図４に示す如く、空間形成体１内でリラクゼーション効果を受けることができる。
空間形成体１内は、断熱、防音効果があり、五角形ユニット５及び六角形ユニット９が透明、又は、半透明の場合には、透光性も期待できる。
【００２１】
又、空間形成体１内には、空気袋からなる球体２１、及び／又は、空気袋からなる円柱体２２が備品として備えられ、球体２１、及び／又は、円柱体２２を用いると、リラクゼーション効果を更に高めることができる。
例えば、円柱体２２を尻や腰や背中に当てると椅子や背もたれの代わりになる。
又、所定長さの円柱体２２を用意して、その両端を空間形成体１内壁に当接させれば、所定位置で保持されるため、人が、体を当接させて、或いは、掴んだりすることにより、自分の体を安定した姿勢に保持することができる。
更に、球体２１を胸に当てて両手で抱く等の姿勢をとるとリラクゼーション効果が更に期待できる。球体２１は、その他、遊具としても利用できる。尚、球体２１、及び、円柱体２２は、空気出し入れ自在に形成することもできる。
【００２２】
本考案の空気袋を用いた空間形成体１は、前述したリラクゼーションスペースとして用いることができると共に、睡眠スペース、子供の遊具、家具（球形家具）、物品収納体、テント等に利用できる。
又、宇宙環境のような微小重力環境における居住スペース、リラクゼーションスペース、睡眠スペース、家具（球形家具）、物品収納体等としても利用が可能である。
【図面の簡単な説明】
【００２３】
【図１】本考案による空気袋を用いた空間形成体の斜視図である。
【図２】（ａ）本考案による五角形ユニットの空気を入れる前の状態を示す平面図である。（ｂ）本考案による空気袋を用いた空間形成体の接合に用いるボルトとナットの側面図である。
【図３】本考案の空間形成体の利用形態の一例を示す斜視図である。
【図４】本考案の空間形成体内の利用形態の一例を示す正面図である。
【符号の説明】
【００２４】
１  空間形成体
２  内部空気袋
３  外部空気袋
４  接合部
５  五角形ユニット
６  内部空気袋
７  外部空気袋
８  接合部
９  六角形ユニット
２１  球体
２２  円柱体
【図１】
0003132855.tif 000003
【図２】
0003132855.tif 000004
【図３】
0003132855.tif 000005
【図４】
0003132855.tif 000006